【手続補正書】
【提出日】平成31年3月5日(2019.3.5)
【手続補正１】
【補正対象書類名】特許請求の範囲
【補正対象項目名】全文
【補正方法】変更
【補正の内容】
【特許請求の範囲】
【請求項１】
第１の無線通信機能と第２の無線通信機能を備える情報処理装置であって、
前記第１の無線通信機能を利用して、外部装置へのログインを試みるログイン手段と、
前記ログインの成否に基づき、前記第２の無線通信機能を利用して、データを前記外部装置に送信する送信手段と、を有することを特徴とする情報処理装置。
【請求項２】
ユーザから指示を受け付ける受け付け手段をさらに有し、
前記ログイン手段は、前記受け付け手段が受け付けた指示が所定の指示であったことに基づき、前記第１の無線通信機能を利用して、外部装置にログインを試み、
前記送信手段は、前記受け付け手段が前記ログインの成功後に前記データの送信指示をユーザから受け付けること無しに、前記ログインの成功に基づき、前記第２の無線通信機能を利用して、前記外部装置に前記データを前記外部装置に送信することを特徴とする請求項１に記載の情報処理装置。
【請求項３】
前記情報処理装置と前記外部装置との間の前記第２の無線通信機能を利用した通信を、前記情報処理装置および前記外部装置の外部のアクセスポイントを経由せずに行うための機能を有効にする要求を、前記ログインの成功に基づき、前記外部装置に送る要求手段をさらに有し、
前記送信手段は、前記要求によって有効にされた前記機能を利用して、前記データを前記外部装置に送信することを特徴とする請求項１又は２に記載の情報処理装置。
【請求項４】
前記ログイン手段は、
前記ログインを試みるに先立ち、前記外部装置の状態を確認し、
前記確認によって前記外部装置の状態がログイン可能な状態であることが確認できたら、前記ログインを試みることを特徴とする請求項１乃至３の何れか１項に記載の情報処理装置。
【請求項５】
前記ログインは、
前記ログインを試みるに先立ち、前記第１の無線通信機能を利用して、前記情報処理装置と前記外部装置との距離を推測し、
前記距離が所定の距離未満であることが推測できたら、前記ログインを試みることを特徴とする請求項１乃至４の何れか１項に記載の情報処理装置。
【請求項６】
前記ログインの成功に基づき、前記情報処理装置と前記外部装置との間の前記第２の無線通信機能を利用した通信を行うための情報を、前記第１の無線通信機能を利用して前記外部装置から取得する取得手段をさらに有し、
前記送信手段は、前記取得された情報にしたがって前記第２の無線通信機能を利用して前記データを前記外部装置に送信することを特徴とする請求項１乃至５の何れか１項に記載の情報処理装置。
【請求項７】
前記送信手段は、前記ログインが失敗している場合、前記データを前記外部装置に送信しないことを特徴とする請求項１乃至６の何れか１項に記載の情報処理装置。
【請求項８】
前記第１の無線通信機能は、Ｂｌｕｅｔｏｏｔｈに準拠し、
前記第２の無線通信機能は、ＩＥＥＥ８０２．１１シリーズに準拠することを特徴とする請求項１乃至７の何れか１項に記載の情報処理装置。
【請求項９】
前記データは、Ｅメールアドレスまたは印刷データであることを特徴とする請求項１乃至８の何れか１項に記載の情報処理装置。
【請求項１０】
前記送信手段は、
前記データお送信に先立ち、前記第２の無線通信機能を利用して、前記外部装置にユーザの認証を要求し、
前記認証に成功したら、前記データを前記外部装置に送信することを特徴とする請求項１乃至９の何れか１項に記載の情報処理装置。
【請求項１１】
前記認証に用いる認証情報を記憶しておく記憶手段を有し、
前記送信手段は、前記記憶手段に記憶される認証情報を用いて前記認証を要求することを特徴とする請求項１０に記載の情報処理装置。
【請求項１２】
前記送信手段は、前記認証に成功し場合に前記外部装置からセッションＩＤを取得し、該セッションＩＤを前記データとともに送信することを特徴とする請求項１０又は１１に記載の情報処理装置。
【請求項１３】
第１の無線通信機能と第２の無線通信機能を備える情報処理装置であって、
前記第１の無線通信機能を利用した、外部装置からのログイン要求にしたがって、ログイン処理を試みるログイン実行手段と、
前記ログイン処理の成否に基づき、前記情報処理装置の状態を、前記外部装置からのデータの送信を受け付け可能な状態にする状態管理手段と、
前記情報処理装置の状態が前記受け付け可能な状態において、前記第２の無線通信機能を利用して、前記外部装置からデータを受信する受信手段と、を有することを特徴とする情報処理装置。
【請求項１４】
前記第１の無線通信機能を利用した、外部装置からの要求にしたがって、前記情報処理装置と前記外部装置との間の前記第２の無線通信機能を利用した通信を、前記情報処理装置および前記外部装置の外部のアクセスポイントを経由せずに行うための機能を有効にする有効化手段を有し、
前記受信手段は、前記要求によって有効にした前記機能を利用して、前記データを前記外部装置から受信することを特徴とする請求項１３に記載の情報処理装置。
【請求項１５】
前記第１の無線通信機能を利用して、前記情報処理装置の状態を外部装置に提供する第１の提供手段を有することを特徴とする請求項１３又は１４に記載の情報処理装置。
【請求項１６】
前記第１の無線通信機能を利用して、前記情報処理装置と外部装置との間の前記第２の無線通信機能を利用した通信を行うための情報を前記外部装置に提供する第２の提供手段をさらに有することを特徴とする請求項１３乃至１５の何れか１項に記載の情報処理装置。
【請求項１７】
前記第１の無線通信機能は、Ｂｌｕｅｔｏｏｔｈに準拠し、
前記第２の無線通信機能は、ＩＥＥＥ８０２．１１シリーズに準拠することを特徴とする請求項１３乃至１６の何れか１項に記載の情報処理装置。
【請求項１８】
前記データは、Ｅメールアドレスまたは印刷データであることを特徴とする請求項１３乃至１７の何れか１項に記載の情報処理装置。
【請求項１９】
前記受信手段が受信したデータを、利用すべきデータとして設定する設定手段を有することを特徴とする請求項１３乃至１８の何れか１項に記載の情報処理装置。
【請求項２０】
前記第２の無線通信機能を利用した、外部装置からのユーザ認証の要求にしたがって、ユーザの認証を試みる認証手段を有し、
前記設定手段は、前記認証手段が認証したユーザが、前記ログインしたユーザと同一である場合に、前記受信手段が受信したデータを、利用すべきデータとして設定することを特徴とする請求項１９に記載の情報処理装置。
【請求項２１】
前記認証手段は、前記認証に成功した場合、前記外部装置にセッションＩＤを送信し、
前記受信手段は、前記データとともに前記セッションＩＤを受信し、
前記設定手段は、前記認証に成功した後に前記受信手段によるデータの受信が複数回あった場合、２回目以降に受信したデータについては、セッションＩＤが、初回に受信したデータのセッションＩＤと同一である場合に、そのデータを利用すべきデータとして設定することを特徴とする請求項２０に記載の情報処理装置。
【請求項２２】
第１の無線通信機能と第２の無線通信機能を備える情報処理装置の制御方法であって、
前記第１の無線通信機能を利用して、外部装置へのログインを試みるログインステップと、
前記ログインの成否に基づき、前記第２の無線通信機能を利用して、データを前記外部装置に送信する送信ステップと、を有することを特徴とする情報処理装置の制御方法。
【請求項２３】
第１の無線通信機能と第２の無線通信機能を備える情報処理装置の制御方法であって、
前記第１の無線通信機能を利用した、外部装置からのログイン要求にしたがって、ログイン処理を試みるログイン実行ステップと、
前記ログイン処理の成否に基づき、前記情報処理装置の状態を、前記外部装置からのデータの送信を受け付け可能な状態にする状態管理ステップと、
前記情報処理装置の状態が前記受け付け可能な状態において、前記第２の無線通信機能を利用して、前記外部装置からデータを受信する受信ステップと、を有することを特徴とする情報処理装置の制御方法。
【請求項２４】
第１の無線通信機能と第２の無線通信機能を備える情報処理装置を、
前記第１の無線通信機能を利用して、外部装置へのログインを試みるログイン手段、
前記ログインの成否に基づき、前記第２の無線通信機能を利用して、データを前記外部装置に送信する送信手段、として機能させるためのプログラム。